(57)【要約】      （修正有）【課題】多種の空気入れノズルに適したノズルアダプターを提供する。【解決手段】本体と、押し付け部材２０と、切替部材３０と、操作レバー４０と、締付具５０と、センタ部材６０と、弾性部材７０と、を備える。本体は、第１収容室１１３と、第２収容室１１４と、を有する頭部１１を備える。押し付け部材は、頭部に移動可能に設けられる。切替部材は、第１収容室に枢動可能に設けられ、押し付け部材を移動させることができる。操作レバーは、頭部の一端に枢着され、頭部に対して枢動することで切替部材を押し付けできる。締付具は、軟質材料で製造され、リング状を呈し、第２収容室に設けられ、押し付け部材によって選択的に押し付けられることで、締付具の内径を選択的に縮小させて英式空気入れノズルＥＶ、仏式空気入れノズルまたは米式空気入れノズルに接続するのに適させる。センタ部材は、押し付け部材と締付具の内部空間に移動可能に設けられる。弾性部材は、押し付け部材とセンタ部材との間に設けられる。【選択図】図４
0003231748.tif 000002
【実用新案登録請求の範囲】
【請求項１】
頭部を備え、前記頭部が軸に沿って離間する第１端と、第２端と、を有し、前記頭部に前記軸に沿って延びる第１収容室および前記第１収容室に連通される第２収容室が設けられ、前記第１収容室および前記第２収容室が各々前記第１端と前記第２端を貫通する本体と、
前記軸に沿って前記頭部内に移動可能に設けられた押し付け部材と、
前記軸を中心として前記第１収容室に枢動可能に設けられ、前記頭部に露出する切替部を有し、前記第１収容室に対して枢動すると共に前記押し付け部材を前記軸に沿って移動させることができる切替部材と、
前記頭部の前記第１端に枢着され、前記頭部に対して枢動すると共に前記切替部材を押し付けることで、前記押し付け部材を前記軸に沿って移動させることができる操作レバーと、
軟質材料で製造され、リング状を呈し、前記第２収容室に設けられ、前記押し付け部材によって選択的に押し付けられることで、締付具の内径を選択的に縮小させて英式空気入れノズル、仏式空気入れノズルまたは米式空気入れノズルに接続するのに適させる締付具と、
中空状を呈し、前記軸に沿って前記押し付け部材と前記締付具との間に移動可能に設けられることで、センタ部材を空気入れノズルに当接させるセンタ部材と、
前記押し付け部材と前記センタ部材との間に設けられた弾性部材と、を含む多種の空気入れノズルに適したノズルアダプター。
【請求項２】
前記押し付け部材は、前記軸に沿って離間して前記操作レバーの近端および前記締付具の遠端に当接し、前記押し付け部材の前記近端の端面に少なくとも１つの第１凸部および少なくとも１つの第１凹部に設けられる。前記切替部材は、前記切替部に連結された回転部を有し、前記回転部が前記近端に当接する回転面を有し、かつ前記切替部材は前記回転面に少なくとも１つの第２凸部および少なくとも１つの第２凹部が設けられ、前記少なくとも１つの第２凸部は前記切替部材が前記第１収容室に対して枢動するにつれて、前記少なくとも１つの第１凸部または前記少なくとも１つの第１凹部に当接する、請求項１に記載の多種の空気入れノズルに適したノズルアダプター。
【請求項３】
前記第１収容室の内径は、前記第２収容室の内径よりも大きく、前記頭部が前記第１収容室と前記第２収容室との間に肩部を形成し、前記押し付け部材が前記近端を有する第１端部、前記遠端を有する第２端部および前記第１端部から前記第２端部まで延びる２つのグリップジョーを備え、前記２つのグリップジョーは前記押し付け部材が前記軸に沿って移動するにつれて、前記軸に向かってスイングし、前記センタ部材を選択的に挟持する、請求項２に記載の多種の空気入れノズルに適したノズルアダプター。
【請求項４】
前記押し付け部材の前記第１端部は、前記軸に沿って延びる位置決めポストを形成し、前記センタ部材に前記軸に沿って離間する位置決め部および前記位置決め部に連結されたセンタ部が設けられ、前記位置決め部は、前記２つのグリップジョーによって選択的に挟持されると共に位置決め溝を設け、前記軸に沿った前記弾性部材の相反両端は各々前記位置決めポストおよび前記位置決め溝に連結される、請求項３に記載の多種の空気入れノズルに適したノズルアダプター。
【請求項５】
前記第１端部に突柱が設けられ、前記突柱は前記近端の端面に位置し、前記少なくとも１つの第１凸部が前記突柱から前記軸に沿う半径方向に延び、前記切替部材に前記軸に沿って前記回転部を貫通する貫通穴が設けられ、前記貫通穴は、前記突柱を遊嵌する、請求項３に記載の多種の空気入れノズルに適したノズルアダプター。
【請求項６】
前記締付具は、小径部と、前記小径部に連結された大径部と、を有し、前記大径部の外周面に前記大径部の円周方向に沿って前記軸を中心に延びる環状溝が設けられる、請求項３に記載の多種の空気入れノズルに適したノズルアダプター。
【請求項７】
前記環状溝は、前記第２収容室の内壁面に接触しない溝面を有し、前記溝面が弧状を呈する、請求項６に記載の多種の空気入れノズルに適したノズルアダプター。
【請求項８】
前記締付具は、前記小径部と前記大径部との間に押圧当接部を形成し、前記押圧当接部が前記押し付け部材の前記第２端部に当接することで、前記大径部の内径を前記押し付け部材が前記軸に沿って移動するにつれて、選択的に縮小させる、請求項６に記載の多種の空気入れノズルに適したノズルアダプター。
【請求項９】
本体は、前記頭部に連結された接続部を備え、前記接続部が空気入れ装置のエアーホースに接続するように適され、前記第１収容室に連通する空気通路を有し、前記頭部がスロットを有し、前記切替部材の前記切替部が前記スロットを介して前記頭部に露出する、請求項１に記載の多種の空気入れノズルに適したノズルアダプター。
【請求項１０】
前記操作レバーは、枢着部を有し、前記枢着部に第１突き当て面および前記第１突き当て面に隣接する第２突き当て面が設けられ、前記第１突き当て面および前記第２突き当て面は前記操作レバーが前記頭部に対して枢動するにつれて、前記切替部材に各々押し付けることができ、前記操作レバーは前記枢着部に枢着穴が設けられ、かつ枢着部材が前記枢着穴を挿通して前記頭部に固結され、前記第１突き当て面から前記枢着部材までの距離が前記第２突き当て面から前記枢着部材までの距離よりも小さい、請求項１に記載の多種の空気入れノズルに適したノズルアダプター。
【考案の詳細な説明】
【技術分野】
【０００１】
本考案は、エアーポンプのノズルアダプターに関し、特に、多種の空気入れノズルに適したノズルアダプターに関する。
【背景技術】
【０００２】
現在、最もよく見られる自転車の空気入れノズルは、仏式のエア空気入れノズルと米式のエア空気入れノズルが主流となっている。これにより、一般的なエアーポンプのノズルアダプターの多くは、同時に仏式空気入れノズルと米式空気入れノズルに適することができる。しかし、いまだに街乗り用自転車に一般的に使用されている英式空気入れノズルもあり、使用者にとって、市場に出回っているほとんどのハイエンドポンプまたはポータブルエアーポンプは英式空気入れノズルに適用できず、英式空気入れノズルに適したアタブターまたは英式空気入れノズルクリップを準備する必要があるため、使用にとって不便となっていた。
【考案の概要】
【考案が解決しようとする課題】
【０００３】
本考案は、締付具が押し付け部材で押し付けられることによって、締付具の内径を選択的に縮小させることで、英式空気入れノズル、仏式空気入れノズルまたは米式空気入れノズルに接続するのに適させる多種の空気入れノズルに適したノズルアダプターを提供する。
【課題を解決するための手段】
【０００４】
本考案によって提供される多種の空気入れノズルに適したノズルアダプターは、本体と、押し付け部材と、切替部材と、操作レバーと、締付具と、センタ部材と、弾性部材と、を備える。本体は、頭部を備え、頭部が軸に沿って離間する第１端と、第２端と、を有し、頭部に軸に沿って延びる第１収容室および第１収容室に連通される第２収容室が設けられ、第１収容室および第２収容室が各々第１端と第２端を貫通する。押し付け部材は、軸に沿って頭部内に移動可能に設けられる。切替部材は、軸を中心として第１収容室に枢動可能に設けられ、頭部に露出する切替部を有し、第１収容室に対して枢動すると共に押し付け部材を軸に沿って移動させることができる。操作レバーは、頭部の第１端に枢着され、頭部に対して枢動すると共に切替部材を押し付けることで、押し付け部材を軸に沿って移動させることができる。締付具は、軟質材料で製造され、リング状を呈し、第２収容室に設けられ、押し付け部材によって選択的に押し付けられることで、締付具の内径を選択的に縮小させて英式空気入れノズル、仏式空気入れノズルまたは米式空気入れノズルに接続するのに適させる。センタ部材は、中空状を呈し、軸に沿って押し付け部材と締付具との間に移動可能に設けられることで、センタ部材を空気入れノズルに当接させる。弾性部材は、押し付け部材とセンタ部材との間に設けられる。
【０００５】
本考案の一実施例において、押し付け部材は、軸に沿って離間して操作レバーの近端および締付具の遠端に当接し、押し付け部材の近端の端面に第１凸部および第１凹部に設けられる。切替部材は、切替部に連結された回転部を有し、回転部が近端に当接する回転面を有し、かつ切替部材は回転面に第２凸部および第２凹部が設けられ、第２凸部は切替部材が第１収容室に対して枢動するにつれて、第１凸部または第１凹部に当接する。
【０００６】
本考案の一実施例において、第１収容室の内径は、第２収容室の内径よりも大きく、頭部が第１収容室と第２収容室との間に肩部を形成し、押し付け部材が近端を有する第１端部、遠端を有する第２端部および第１端部から第２端部まで延びる２つのグリップジョーを備え、２つのグリップジョーは押し付け部材が軸に沿って移動するにつれて、軸に向かってスイングし、センタ部材を選択的に挟持する。
【０００７】
本考案の一実施例において、押し付け部材の第１端部は、軸に沿って延びる位置決めポストを形成し、センタ部材に軸に沿って離間する位置決め部および位置決め部に連結されたセンタ部が設けられ、位置決め部は、２つのグリップジョーによって選択的に挟持されると共に位置決め溝を設け、軸に沿った弾性部材の相反両端は各々位置決めポストおよび位置決め溝に連結される。
【０００８】
本考案の一実施例において、第１端部に突柱が設けられ、突柱は近端の端面に位置し、第１凸部が突柱から軸に沿う半径方向に延び、切替部材に軸に沿って回転部を貫通する貫通穴が設けられ、貫通穴は、突柱を遊嵌する。
【０００９】
本考案の一実施例において、締付具は、小径部と、小径部に連結された大径部と、を有し、大径部の外周面に大径部の円周方向に沿って軸を中心に延びる環状溝が設けられる。
【００１０】
本考案の一実施例において、環状溝は、第２収容室の内壁面に接触しない溝面を有し、溝面が弧状を呈する。
【００１１】
本考案の一実施例において、締付具は、小径部と大径部との間に押圧当接部を形成し、押圧当接部が押し付け部材の第２端部に当接することで、大径部の内径を押し付け部材が軸に沿って移動するにつれて、選択的に縮小させる。
【００１２】
本考案の一実施例において、本体は、頭部に連結された接続部を備え、接続部が空気入れ装置のエアーホースに接続するように適され、第１収容室に連通する空気通路を有し、頭部は、スロットを有し、切替部材の切替部がスロットを介して頭部に露出する。
【００１３】
本考案の一実施例において、操作レバーは、枢着部を有し、枢着部に第１突き当て面および第１突き当て面に隣接する第２突き当て面が設けられ、第１突き当て面および第２突き当て面は操作レバーが頭部に対して枢動するにつれて、切替部材に各々押し付けることができる。操作レバーは、枢着部に枢着穴が設けられ、かつ枢着部材が枢着穴を挿通して頭部に固結され、第１突き当て面から枢着部材までの距離が第２突き当て面から枢着部材までの距離よりも小さい。
【考案の効果】
【００１４】
上記によれば、本考案によって提供される多種の空気入れノズルに適したノズルアダプターは、締付具が第２収容室に設けられ、押し付け部材によって選択的に押し付けられることで、締付具の内径を選択的に縮小させ、したがって英式空気入れノズル、仏式空気入れノズルまたは米式空気入れノズルに接続するのに適している。
【００１５】
本考案の上記特徴および利点をより明白かつ分かりやすくため、以下、実施例を挙げて添付の図面を参照しつつ詳細に説明する。
【図面の簡単な説明】
【００１６】
【図１】本考案の一実施例に係る多種の空気入れノズルに適したノズルアダプターの外観図（切替部材が第１の位置にあることを示す）である。
【図２】図１に示す多種の空気入れノズルに適したノズルアダプターの展開図である。
【図３】図１に示す多種の空気入れノズルに適したノズルアダプターの展開図である。
【図４】図１に示す多種の空気入れノズルに適したノズルアダプターが使用された場合の模式図（ノズルアダプターが英式空気入れノズルに接続された様子を示す）である。
【図５】図１に示す多種の空気入れノズルに適したノズルアダプターが使用された場合の模式図（ノズルアダプターが英式空気入れノズルに接続された様子を示す）である。
【図６】本考案の一実施例に係る多種の空気入れノズルに適したノズルアダプターの外観図（切替部材が第２の位置にあることを示す）である。
【図７】図６に示す多種の空気入れノズルに適したノズルアダプターが使用された場合の模式図（ノズルアダプターが仏式空気入れノズルに接続された様子を示す）である。
【図８】図６に示す多種の空気入れノズルに適したノズルアダプターが使用された場合の模式図（ノズルアダプターが仏式空気入れノズルに接続された様子を示す）である。
【図９】図６に示す多種の空気入れノズルに適したノズルアダプターが使用された場合の模式図（ノズルアダプターが米式空気入れノズルに接続された様子を示す）である。
【図１０】図６に示す多種の空気入れノズルに適したノズルアダプターが使用された場合の模式図（ノズルアダプターが米式空気入れノズルに接続された様子を示す）である。
【考案を実施するための形態】
【００１７】
図１乃至図１０を参照すると、本考案の多種の空気入れノズルに適したノズルアダプターの一実施例である、本実施例の多種の空気入れノズルに適したノズルアダプターは、本体１０と、本体１０内に移動可能に設けられた押し付け部材２０と、本体１０内に枢動可能に設けられ、押し付け部材２０を駆動できる切替部材３０と、本体１０に枢着され、切替部材３０を押し付けることができる操作レバー４０と、本体１０内に設けられ、英式空気入れノズルＥＶ、仏式空気入れノズルＦＶまたは米式空気入れノズルＡＶを挟持するのに適した締付具５０と、空気入れノズルのセンタ部材６０に当接し、押し付け部材２０とセンタ部材６０との間に設けられた弾性部材７０と、を備える。切替部材３０は、本体１０に対して枢動して第１の位置と第２の位置の間で切り替え、かつ操作レバー４０が本体１０に対して枢動して解放位置と固定位置の間で切り替えることができる。
【００１８】
切替部材３０は、第１の位置にあり、操作レバー４０が解放位置（図４）にあるとき、押し付け部材２０が締付具５０を圧縮せず、締付具５０を変形せず、押されていない状態にあり、かつ締付具５０は、英式空気入れノズルＥＶに接続でき、操作レバー４０を本体１０に対して枢動させて解放位置から固定位置（図５）に切り替え、操作レバー４０が切替部材３０および押し付け部材２０を移動させることで、締付具５０が押し付け部材２０によって押し付けられ、変形して内径を縮小させることで、英式空気入れノズルＥＶを挟持することができる。
【００１９】
切替部材３０が第２の位置にあり、操作レバー４０が解放位置（図７、図９）にあるとき、押し付け部材２０は、本体１０に対して移動し、締付具５０を予圧縮状態に圧縮し、締付具５０の内径は、仏式空気入れノズルＦＶまたは米式空気入れノズルＡＶに接続するために縮小され、操作レバー４０を本体１０に対して枢動させて解放位置から固定位置（図８、図１０）に切り替え、操作レバー４０が切替部材３０および押し付け部材２０を移動させることで、締付具５０が押し付け部材２０によって押し付けられ、予圧縮状態から更に変形し、内径をさらに縮小させて仏式空気入れノズルＦＶまたは米式空気入れノズルＡＶを挟持することができる。
【００２０】
上述の効果を奏するため、図１乃至図３を参照すると、本実施例の本体１０は、頭部１１を備え、頭部１１が軸Ａ１１に沿って離間する第１端１１１と、第２端１１２と、を有し、第２端１１２が空気入れノズルの接続に適し、頭部１１に軸Ａ１１に沿って延びる第１収容室１１３および第１収容室１１３に連通される第２収容室１１４が設けられ、第１収容室１１３および第２収容室１１４が各々第１端１１１と第２端１１２を貫通する。
【００２１】
押し付け部材２０は、軸Ａ１１に沿って頭部１１内に移動可能に設けられる。切替部材３０は、軸を中心として第１収容室１１３に枢動可能に設けられ、頭部１１に露出し、使用者が第１の位置と第２の位置との間で切り替えるための切替部３１を有し、第１収容室１１３に対して枢動すると共に押し付け部材２０を軸Ａ１１に沿って移動させることができる。
【００２２】
操作レバー４０は、頭部１１の第１端１１１に枢着され、頭部１１に対して枢動して解放位置と固定位置の間で切り替えられ、切替部材３０を押し付けて、切替部材３０が押し付け部材２０を軸Ａ１１に沿って移動させることで、締付具５０を圧縮できる。締付具５０は、軟質材料で製造され、リング状を呈し、第２収容室１１４に設けられ、押し付け部材２０によって選択的に押し付けられることで、締付具５０の内径を選択的に縮小させて英式空気入れノズルＥＶ、仏式空気入れノズルＦＶまたは米式空気入れノズルＡＶに接続するのに適させる。センタ部材６０は、中空状を呈し、軸Ａ１１に沿って押し付け部材２０と締付具５０の内部空間に移動可能に設けられることで、センタ部材６０を英式空気入れノズルＥＶ、仏式空気入れノズルＦＶあるいは米式空気入れノズルＡＶに当接させる。弾性部材７０は、押し付け部材２０とセンタ部材６０との間に設けられる。
【００２３】
切替部材３０が第１収容室１１３に対して枢動するときに押し付け部材２０を軸Ａ１１に沿って移動させることで、押し付け部材２０を予圧縮状態に達するように、本実施例の押し付け部材２０は、軸Ａ１１に沿って離間して操作レバー４０の近端２０１および締付具５０の遠端２０２に当接し、押し付け部材２０の近端２０１の端面に少なくとも１つの第１凸部２１および少なくとも１つの第１凹部２２に設けられ、本実施例において２つの第１凸部２１および２つの第１凹部２２を設け、かつ２つの第１凸部２１および２つの第１凹部２２は軸Ａ１１を中心として交互に配列される。切替部材３０は、切替部３１に連結された回転部３２を有し、回転部３２が近端２０１に当接する回転面３２１を有し、かつ切替部材３０は回転面３２１に少なくとも１つの第２凸部３３および少なくとも１つの第２凹部３４が設けられ、第２凸部３３は切替部材３０が第１収容室１１３に対して枢動するにつれて、第１凸部２１または第１凹部２２に当接する。したがって、切替部材３０が第１の位置にあるとき、第２凸部３３は、第１凹部２２に当接し；切替部材３０が第１の位置から第２の位置に切り替えたとき、第２凸部３３は、第１凸部２１に当接して、切替部材３０を第１収容室１１３に対して枢動するときに押し付け部材２０を軸Ａ１１に沿って移動させることができ、それにより締付具５０を予圧縮状態に圧縮する。
【００２４】
本実施例において、センタ部材６０を位置決めして、センタ部材６０を英式空気入れノズルＥＶ、仏式空気入れノズルＦＶまたは米式空気入れノズルＡＶに当接させるように適され得る。第１収容室１１３の内径は、第２収容室１１４の内径よりも大きいため、頭部１１が第１収容室１１３と第２収容室１１４との間に肩部１１５を形成させる。押し付け部材２０は、近端２０１を有する第１端部２３、遠端２０２を有する第２端部２４および第１端部２３から第２端部２４まで延びる２つのグリップジョー２５を備える。２つのグリップジョー２５は、押し付け部材２０が軸Ａ１１に沿って移動するにつれて、軸Ａ１１に向かってスイングし、センタ部材６０を選択的に挟持する。さらに、押し付け部材２０の第１端部２３は、軸Ａ１１に沿って延びる位置決めポスト２３１を形成する。センタ部材６０に軸Ａ１１に沿って離間する位置決め部６１および位置決め部６１に連結されたセンタ部６２が設けられ、位置決め部６１は、２つのグリップジョー２５によって選択的に挟持されると共に位置決め溝６１１を設ける。軸Ａ１１に沿った弾性部材７０の相反両端は、各々位置決めポスト２３１および位置決め溝６１１に連結される。
【００２５】
さらに、第１端部２３に突柱２３２が設けられ、突柱２３２は近端２０１の端面に位置し、第１凸部２１と第１凹部２２が突柱２３２から軸Ａ１１に沿う半径方向に延びる。切替部材３０に軸Ａ１１に沿って回転部３２を貫通する貫通穴３２２が設けられ、貫通穴３２２は、突柱２３２を遊嵌することで、切替部材３０が同時に第１収容室１１３および押し付け部材２０に対して枢動させることができる。
【００２６】
締付具５０が英式空気入れノズルＥＶ、仏式空気入れノズルＦＶまたは米式空気入れノズルＡＶに接続すると共に挟持することを可能にするため、本実施例の締付具５０は、小径部５１と、小径部５１に連結された大径部５２と、を有し、大径部５２の外周面に大径部５２の円周方向に沿って軸Ａ１１を中心に延びる環状溝５３が設けられる。さらに、環状溝５３は、大径部５２を一周すると共に第２収容室１１４の内壁面に接触しない溝面５３１を有し、溝面５３１が弧状を呈する。なお、締付具５０が押し付け部材２０によって押し付けられるため、締付具５０は、小径部５１と大径部５２との間に押圧当接部５４を形成し、押圧当接部５４が押し付け部材２０の第２端部２４に当接することで、大径部５２の内径を押し付け部材２０が軸Ａ１１に沿って移動するにつれて、選択的に縮小させ、それにより、締付具５０が押し付け部材２０によって押し付けられて変形するのを助ける。
【００２７】
本実施例の本体１０は、頭部１１に連結された接続部１２も備え、接続部１２が空気入れ装置のエアーホース（図示せず）に接続するように適され、第１収容室１１３に連通する空気通路１２１を有する。また頭部１１は、スロット１１６を有し、切替部材３０の切替部３１がスロット１１６を介して頭部１１に露出することで使用者が第１の位置と第２の位置との間で切り替えるために用いられる。
【００２８】
操作レバー４０が解放位置と固定位置の間で切り替えられることを可能にして、切替部材３０を選択的に押し付けて移動するため、本実施例の操作レバー４０は、枢着部４１を有し、枢着部４１に第１突き当て面４１１および第１突き当て面４１１に隣接する第２突き当て面４１２が設けられ、第１突き当て面４１１および第２突き当て面４１２は操作レバー４０が頭部１１に対して枢動するにつれて、切替部材３０の回転部３２に各々押し付けることができる。操作レバー４０は、枢着部４１に枢着穴４２が設けられ、かつ枢着部材４３が枢着穴４２を挿通して頭部１１に固結され、第１突き当て面４１１から枢着部材４３までの距離が第２突き当て面４１２から枢着部材４３までの距離よりも小さく、操作レバー４０が解放位置から固定位置に切り替えたとき、切替部材３０を押し付けて軸Ａ１１に沿って第１収容室１１３に対して移動できるようにする。
【００２９】
図４および図５を参照すると、本実施例の多種の空気入れノズルに適したノズルアダプターが英式空気入れノズルＥＶに接続されている様子を示している。切替部材３０は、第１の位置にあり、操作レバー４０が解放位置（図４）にあるとき、押し付け部材２０が締付具５０を圧縮せず、締付具５０を変形せず、押されていない状態にあり、操作レバー４０の第１突き当て面４１１が切替部材３０の回転部３２に当接する。使用者は、英式空気入れノズルＥＶを頭部１１の第２端１１２に接続して、締付具５０を英式空気入れノズルＥＶに接続させ、英式空気入れノズルＥＶのボディの最大外径部位が締付具５０の大径部５２に接触し、かつ英式空気入れノズルＥＶの雄ネジ部が締付具５０を挿通してセンタ部材６０のセンタ部６２に当接する。操作レバー４０を頭部１１の第１端１１１に対して枢動し、解放位置から固定位置に切り替え、操作レバー４０の第２突き当て面４１２が切替部材３０の回転部３２に当接し、かつ操作レバー４０が同時に切替部材３０および押し付け部材２０を軸Ａ１１に沿って移動させることができ、締付具５０の大径部５２は押圧当接部５４が押し付け部材２０の第２端部２４によって押し付けられて変形されることで、大径部５２の内径を縮小させて英式空気入れノズルＥＶを挟持する。
【００３０】
図６を参照すると、本実施例の多種の空気入れノズルに適したノズルアダプターは、仏式空気入れノズルＦＶまたは米式空気入れノズルＡＶに接続するために用いられるとき、まず切替部材３０を第１の位置から第２の位置に切り替えて、締付具５０を予圧縮状態にある。図７および図８を参照すると、本実施例の多種の空気入れノズルに適したノズルアダプターが仏式空気入れノズルＦＶに接続されている様子を示している。切替部材３０が第２の位置にあり、操作レバー４０が解放位置にあるとき、切替部材３０の第２凸部３３が押し付け部材２０の第１凸部２１に当接して、押し付け部材２０を軸Ａ１１に沿って移動させ、押し付け部材２０の第２端部２４が締付具５０の押圧当接部５４を押し付けし、締付具５０の大径部５２を変形させて予圧縮状態にさせ、すなわち、大径部５２の内径は、押し付け部材２０が軸Ａ１１に沿って移動することにつれて、縮小する。使用者は、仏式空気入れノズルＦＶを頭部１１の第２端１１２に接続して、締付具５０を仏式空気入れノズルＦＶに接続させ、かつ仏式空気入れノズルＦＶの空気弁ネジが締付具５０を挿通してセンタ部材６０のセンタ部６２に当接すると共に弾性部材７０を圧縮する。操作レバー４０を頭部１１の第１端１１１に対して枢動し、解放位置から固定位置に切り替え、操作レバー４０の第２突き当て面４１２が切替部材３０の回転部３２に当接し、かつ操作レバー４０が同時に切替部材３０および押し付け部材２０を軸Ａ１１に沿って移動させることができ、弾性部材７０がさらに圧縮され、かつ締付具５０の大径部５２は押圧当接部５４が押し付け部材２０の第２端部２４によって押し付けられて大幅に変形して内径縮小が生じ、すなわち、環状溝５３の溝面５３１の曲率が大きくなり、大径部５２の内径を縮小させて仏式空気入れノズルＦＶの雄ネジ部を挟持する。
【００３１】
図９および図１０を参照すると、本実施例の多種の空気入れノズルに適したノズルアダプターが米式空気入れノズルＡＶに接続されている様子を示している。切替部材３０が第２の位置にあり、操作レバー４０が解放位置にあるとき、切替部材３０の第２凸部３３が押し付け部材２０の第１凸部２１に当接して、押し付け部材２０を軸Ａ１１に沿って移動させ、押し付け部材２０の第２端部２４が締付具５０の押圧当接部５４を押し付けし、締付具５０の大径部５２を変形させて予圧縮状態にさせ、すなわち、大径部５２の内径は、押し付け部材２０が軸Ａ１１に沿って移動することにつれて、縮小する。さらに、２つのグリップジョー２５は、押し付け部材２０と伴に移動して肩部１１５を越えて第２収容室１１４に入ることで、センタ部材６０の位置決め部６１を挟持する。使用者は、米式空気入れノズルＡＶを頭部１１の第２端１１２に接続して、締付具５０を米式空気入れノズルＡＶに接続させることができ、かつセンタ部材６０のセンタ部６２が締付具５０を挿通して米式空気入れノズルＡＶの芯棒に当接する。操作レバー４０を頭部１１の第１端１１１に対して枢動し、解放位置から固定位置に切り替え、操作レバー４０の第２突き当て面４１２が切替部材３０の回転部３２に当接し、かつ操作レバー４０が同時に切替部材３０および押し付け部材２０を軸Ａ１１に沿って移動させることができ、締付具５０の大径部５２は押圧当接部５４が押し付け部材２０の第２端部２４によって押し付けられることで、大幅に変形して内径縮小が生じ、すなわち、環状溝５３の溝面５３１の曲率が大きくなり、大径部５２の内径を縮小させることで米式空気入れノズルＡＶのボディを挟持する。
【産業上の利用可能性】
【００３２】
上記によれば、本考案によって提供される多種の空気入れノズルに適したノズルアダプターは、締付具５０が頭部１１の第２収容室１１４に設けられ、押し付け部材２０によって選択的に押し付けられることで、締付具の内径を選択的に縮小させ、したがって英式空気入れノズルＥＶ、仏式空気入れノズルＦＶまたは米式空気入れノズルＡＶに接続するのに適している。
【００３３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００３４】
１０      本体
１１      頭部
Ａ１１    軸
１１１    第１端
１１２    第２端
１１３    第１収容室
１１４    第２収容室
１１５    肩部
１１６    スロット
１２      接続部
１２１    空気通路
２０      押し付け部材
２０１    近端
２０２    遠端
２１      第１凸部
２２      第１凹部
２３      第１端部
２３１    位置決めポスト
２３２    突柱
２４      第２端部
２５      グリップジョー
３０      切替部材
３１      切替部
３２      回転部
３２１    回転面
３２２    貫通穴
３３      第２凸部
３４      第２凹部
４０      操作レバー
４１      枢着部
４１１    第１突き当て面
４１２    第２突き当て面
４２      枢着穴
４３      枢着部材
５０      締付具
５１      小径部
５２      大径部
５３      環状溝
５３１    溝面
５４      押圧当接部
６０      センタ部材
６１      位置決め部
６１１    位置決め溝
６２      センタ部
７０    弾性部材
ＥＶ    英式空気入れノズル
ＡＶ    米式空気入れノズル
ＦＶ    仏式空気入れノズル
【図１】
0003231748.tif 000003
【図２】
0003231748.tif 000004
【図３】
0003231748.tif 000005
【図４】
0003231748.tif 000006
【図５】
0003231748.tif 000007
【図６】
0003231748.tif 000008
【図７】
0003231748.tif 000009
【図８】
0003231748.tif 000010
【図９】
0003231748.tif 000011
【図１０】
0003231748.tif 000012